(57)【要約】【課題】ペットショップにおける展示ペット販売で、後方からの販売セールス、ＴＶのような二次元的展示方法、動物臭、ウイルス、菌の平行感染、犬、猫等の社会化、ペットのストレスの軽減  ペット販売管理者の意図しない、ペットへの接触、いたずら、盗難、衛生及び環境管理、管理販売者の省力化などを総合的に解消及び軽減し、ペットをより魅力的に演出するペット管理及び展示、接客一体型販売ブース構造を提供する【解決手段】ショーウインドー型展示ケージユニットにより開放感ある空間でペットのストレス軽減と社会性を養いカウンター式ケージユニットで、上からも見え立体的な展示すると共に客と対面でコミニュケーションをとることが出来、ブース中央のペット管理接客スペースで、管理者は作業をしつつも臨機応変に接客出来る為、人員の省力化。各ケージユニットは、床暖房、脱臭、除菌、ウイルス抑制、アレル物質抑制  加湿機能を内蔵。ブース外側からは管理者以外は容易にペット接触出来ない構造にした【選択図】図１
2010130994.tif 000002
【特許請求の範囲】
【請求項１】
ショーウインドー型ペット管理ケージユニット、カウンター式ペット管理ケージユニットを組み合わせ囲まれた構造
【請求項２】
ショーウインドー型ペット管理ケージユニット、及びカウンター式ペット管理ケージユニットで管理者を取り囲みペット管理、衛生管理に素早く対応出来る構造
【請求項３】
カウンター式ペット管理ケージユニットはペット管理者が購買者との接客が障害物なくスムーズに行える構造
【請求項４】
ショーウインドー型ペット管理ケージユニット（図４−１）来場者が見学でき、かつ管理者がペット管理出来る並列展示式ケージで、前面部分（図１−１）容易に人間がペットに触れられない高さで、透明なガラス及びアクリルで構成された板もしくは、鍵による開閉が出来、側面部分（図１−２）はペットが容易に超えられない高さの衝立、ペットの大小により左右に可動，背面部分（図１−３）はペットが容易に超えられない高さの衝立、及び開閉ドアで構成され、上部は管理者が容易に管理出来る上部開放、多段の場合（図２−１）は上部密閉式もしくは取り外し式、開閉式になっており、ケージ下部（図６−５及び図７−５）は床暖房（請求項ー２３）ケージ内部もしくは床下より加湿空気清浄（図６−７及び図７−７）装置（請求項ー１４）が取り付けられる。下部（図１−４）は、ペット休憩所、衛生管理備品収納部、ペット固体情報書類収納、シンク、汚物流し、食器洗浄器など上下水設備、空気清浄機、加湿器、ゴミ箱を必要に応じ配置できる構造
【請求項５】
カウンター式ペット管理ケージユニット（図４−２）のケージ（図７）はペットが逃げ出さず、来場者が管理者の許可なくペットに触ることが出来ないよう密閉空間になっていて、全高は管理者（図１−７）と来場者（図１−８、９）間でペットの受け渡しがスムーズに行える高さになっており、ケージ前面（図６−１及び図７−１）はガラス及びアクリルで構成された透明な板で密閉もしくは鍵により開閉出来る仕組み。ケージ側面（図１−６）はペット間を区切る任意の幅で隣接するペットの直接接触、もしくは空気流入為密閉する板で間仕切られ、最両側面（図１−１０，１１）は密閉。ケージ背面（図６−２．３）及び（図７ー２．３）はペット取り出し、ケージ内清掃用出来る大きさの開閉が出来、またケージ上部（図６−４及び図７ー４）はペットがよく見え、ペットに圧迫間を与えない為、透明なガラス及びアクリルで構成された板、密閉もしくは鍵による開閉が出来る。ケージ下部（図６−５及び図７−５）は床暖房（請求項ー）ケージ内部もしくは床下より加湿空気清浄（図６−７及び図７−７）装置（請求項ー）が取り付けられる。下台部（図１−１２）は、ペット休憩所、衛生管理備品収納、ペット固体情報書類収納、シンク、汚物流し、食器洗浄器など上下水設備、空気清浄機、加湿器、ゴミ箱を必要に応じ配置できる
【請求項６】
請求項４．５にドッキングする接客カウンターユニット（図１−１３及び図４−３）来場者にペットを見せ、説明できる立ち、もしくは座席付対面接客カウンターで請求項２に付加することで、その利便性、特に接客効果を高める
【請求項７】
請求項４．５にドッキングするペット管理者通用扉ユニット（図１−１４及び図４−４）ブース内外に通じるドア。請求項２に付加することで、その利便性、特に作業性を高める
【請求項８】
ペット管理販売接客作業スペース（図１−１５及び図４−５）（請求項４、５のユニットを核とした囲まれた来場者が無断で立ち入っていけないと判断出来るペット管理作業接客スペースで、ブース内でペット管理、接客が行える。上記ユニット（請求項４，５，は必須）及び壁面を必要に応じて組み合わせたペット管理及び展示、接客一体型販売ブース構造
【請求項９】
ショーウインドウ型ペット管理ケージユニットは、２段、３段にケージを積み重ね、多くのペットを管理する事が出来る構造
【請求項１０】
ショーケース型ペット管理ユニットは、ケージの中に入るペットの大きさ等により、自在に仕切りを変更でき、ストレスを与えないスペースを容易に作れる構造
【請求項１１】
ショーケース型ペット管理ユニットは、温度管理、ペット管理が容易に行えるよう、開閉及び取り外しが出来る構造
【請求項１２】
ショーケース型ペット管理ユニットは、個々のケージごとに温度管理が行える構造
【請求項１３】
ケージは、空気穴、水のみ装置が取り付けられる構造
【請求項１４】
ケージは、次亜塩素酸、ＯＨラジカル、イオンを含む水分を自動噴霧する装置を内臓し、ペットスペースの湿度を上げ、ウイルスの不活性化、除菌、殺菌及び脱臭を行い、ケージ本体、及びペットの衛生管理が行える構造
【請求項１５】
ケージ下にはペット休憩所、衛生管理備品などがかたせる棚や、ボックスなどを収納するスペースがあり、即座に対応出来る構造
【請求項１６】
ショーケース型ペット管理は、ペットを安全に取り出せるよう、管理者側の壁面は屈んだりせずにペットを取り出せる高さ、及び開閉扉位置の構造
【請求項１７】
カウンター型ペット管理ショーケースは、ペットの全体を見える高さ及び、ショーケースの上部でペットの受け渡しが安全に行える高さである
【請求項１８】
ショーケースは衛生管理が容易に行えるよう扉を設け、ペットの出し入れの他の作業も迅速に行える
【請求項１９】
ショーケース前部には手荷物置き場を設け、両手で安全にペットの受け渡しが行えるよう荷物置き場兼、ペット情報スペースを設けてある
【請求項２０】
各ケージは透明部材にて製作しペット管理者が常にペットの状態を確認できる構造
【請求項２１】
ケージ下部には出し入れの行える作業台があり衛生作業等効率よく行える
【請求項２２】
ショーウインドー型展示ケージユニットは、特に上方開放型は開放感ある空間でペットのストレス軽減と自然に管理者と触  れ合える事で対人間との社会性を養うことが容易であり、また、ショーウインドー側からの見学者によりウインドウをたたかれたりしても、すぐ逆に親密度の高い管理者がいることで来客者に対するペットの恐怖感をやわらげ、又管理者がフォローすることが容易に出来る。またカウンター式ケージユニットで、上からも見える立体的な展示はペットに対する情報量が増え、管理者はペット管理、来客者はより良く観察することが出来る。それと共に客と対面でコミニュケーションを円滑にとることが出来、ペットの受け渡しもスムーズに行え、ブースを出る事無く、他の来客者の邪魔にもならず接客する事が出来る。また、ケージ内のペットも上方が透明なので圧迫感は感じにくいと思われる。ケージが透明素材を基本としてるためケージ内に照明を設置しなくてもすむので、メンテナンス、安全性、環境すべてにおいて向上する。各ケージユニットは、床暖房による温度調整、電解水の自動噴霧による脱臭、除菌、ウイルス抑制、アレル物質抑制  加湿することでケージ内の環境及び衛生状況をあげ、ペットの健康状態の保全がしやすくなります。これらを内蔵とすることで、従来は温度管理の為、ペットヒーター等をケージ内においていたが、床面に不要な物が無いので、衛生管理作業性が向上。ブース外側からは管理者以外は容易にペット接触出来ない構造なので、ペット管理販売者の意図しない接触は低減され、来客者からのいたずら等からペット保護しやすい。又、匂いに関してもブース内での衛生管理を行うため、ブース外にはただよいにくいシステムである。ブース中央のペット管理接客スペースで、管理者は作業をしつつも臨機応変に接客出来る為、人員の省力化をすることができる構造
【請求項２３】
ケージ床下に床暖房システムを内蔵、ペットへの温度管理を行うことが出来る構造
【請求項２４】
周囲壁面は透明部材を使用したショーケースの構造
【請求項２５】
ショーウインドー型ペット管理ケージユニットは、管理者側以外から、人が容易に触れられない高さで囲む事で、ペットへの不用意な接触により、衛生面、事故、脱走、盗難等保護する構造
【請求項２６】
ケージおよびショーウインドウを構成する透明部材は、発熱ガラス、熱線入りガラスを使用したり発熱フィルムを貼り付けることが出来る構造
【請求項２７】
ペット管理販売接客作業スペース（図１−１５及び図４−５）（請求項５のユニットを核とした囲まれたペット管理作業接客スペースで、ブース内でペット管理、接客が行える。上記ユニット（請求項５は必須）及び壁面を必要に応じて組み合わせたペット管理及び展示、接客一体型販売ブース構造
【請求項２８】
ペット管理販売接客作業スペース（図１−１５及び図４−５）（請求項４、５、７、のユニットを核とした囲まれた来場者が無断で立ち入っていけないと判断出来るペット管理作業接客スペースで、ブース内でペット管理、接客が行える。上記ユニット及び壁面を必要に応じて組み合わせたペット管理及び展示、接客一体型販売ブース構造
【請求項２９】
ペット管理販売接客作業スペース（図１−１５及び図４−５）（請求項４、５、６、のユニットを核とした囲まれた来場者が無断で立ち入っていけないと判断出来るペット管理作業接客スペースで、ブース内でペット管理、接客が行える。上記ユニット及び壁面を必要に応じて組み合わせたペット管理及び展示、接客一体型販売ブース構造
【発明の詳細な説明】
【技術分野】
【０００１】  本発明は、ペット管理が情報収集しやすく迅速に行え、かつ衛生的に展示及び、接客販売ブース構造に関する。
【背景技術】
【０００２】  従来のペットショップにおけるペット管理及び販売は、ペットを個別に入れたケージを壁面状に多層並列に並べ前方、もしくは後方より給仕、汚物処理をおこなうスタイルで管理しており、購買者がペットを見ている時に、販売員が後方及び側面から声をかけ、来客者との初期接触を図る形式である。ペット管理方法は、ケージ背面、もしくは別所にもうけられたペット管理室にてペット管理をしている。又ケージ（特許文献  実用新案登録番号  第３０００９９１号）前面より衛生処理、給餌をする方式もある。古くは檻型ケージもしくは上部開放等のサークルケージを使用し展示しているケースも多い。最近では閉鎖区画ブース型で複数のペットを展示販売しているケースもあります。（特許文献  特許第３９４６７５１号）
【発明の開示】
【発明が解決しようとする課題】
【０００３】  しかし、上記の方式では、ペット販売方法は購買者がペットを見ている時に、販売員が後方及び側面から声をかけ、来客者との初期接触を図る形式であるので見学者と購買者の見分け難しく、断られたり、タイミングを外したり、時には来客者に不愉快な思いを与えることがある。管理方法にしても管理者がペット情報を面でしかとらえる事が出来ない為、汚物等発見、健康状況、環境の変化に気づくまでに時間が掛かりやすく対応遅れが生じたりした、環境も良い状況とは言えず、ペット管理者及びペットへの負担は知れない。又購買者の情報収集も視覚的にはＴＶのような平面二次元的情報に限られしまい、ペット情報を詳しく持つペット管理者はケージ背面や別室にて作業に従事している場合が多い為、販売者は別になっている事が多く、正確な情報、状況を得ることが難しい。同一者であった場合も構造的にロスが多い為に管理不備、販売ロスにつながる場合が多々あり結果的に人員も増え人件費がより多くかかってしまう。又ケージ前面より衛生処理、給仕をする方式も、来客者の邪魔になりやすく、臭気、衛生面での問題も多い。  密閉式ケージ等及び前面ガラス後方柵のタイプのケージはペットからの開放的視観が無く、ペットへのストレスを与える要因のひとつとなっている。また、温度管理の為ケージ内にペットヒーター等を入れたりするが、清掃及びケージ内の乾燥等問題が多い。この方式にしてもペットの購買者も二次元的視観での情報しか得られず、ペット情報を詳しく持つ管理者との対話も成立しずらい。特に最近問題視されている犬や猫等の社会化（同種犬猫との接触、トイレ、人間との関係等）教える上でも問題がある。しかし上部開放等のケージを使用すると来客者の不用意な接触など、衛生面、事故、脱走、盗難等非常に管理しずらい。閉鎖区画ブース内で複数のペットを開放的に同時に扱うと、ウイルスや菌の濃度上昇による平行感染が起き易く、生命の危険性が非常に高まってしまう。また閉鎖区画ブースでは来客者がペットに触りたい等の要求にスムーズに対応することが出来ず、別途場所を用意する必要もある上、ブース内販売管理者に来客者も声をかけずらい為、販売機会をのがしてしまう。【０００４】  （特許文献  実用新案登録番号  第３０００９９１号）  （特許文献  特許第３９４６７５１号）【０００５】  そこで、本発明の目的は、ペットの衛生、体調、環境、給餌管理をスムーズにかつ、軽減。ペットへのストレスを軽減し犬、猫などの社会化をしやすく、ウイルス、菌による平行感染症の軽減来客者が上からペットを見ることで、ペットの魅力を立体的にアピールすることが出来、ペット情報を増やし、管理販売者と来客者との円滑なコミュニケーションや、ペットの受け渡しが出来、かつ人員の抑制、効率化。来客者がペット販売管理者の許可無く、ペットへの接触をふせぎ、ペットの安全を守ることにある。【０００６】  上記目的を達成するため、本発明は次のブース構成によるショーウインドー型ペットケージユニット（図４−１）（請求項４）来場者が見学でき、かつ管理者がペット管理出来る並列展示式ケージで、前面部分（図１−１）高さが容易に人間がペットに触れられない高さで、透明なガラス及びアクリルで構成された板もしくは、鍵による開閉出来、側面部分（図１−２）はペットが容易に超えられない高さの衝立、ペットの大小により左右に可動，背面部分（図１−３）はペットが容易に超えられない高さの衝立、及び開閉ドアで構成され、上部は管理者が容易に管理出来る上部開放、多段の場合（図２−１）は上部密閉式もしくは取り外し式、開閉式になっており、ケージ下部（図６−５及び図７−５）は床暖房（請求項ー）ケージ内部もしくは床下より加湿空気清浄（図６−７及び図７−７）装置（請求項ー）が取り付けられる。下台部（図１−４）は、ペット休憩所、衛生管理備品収納部、ペット固体情報書類収納、上下水設備を必要に応じ配置できる。カウンター式密閉ケージユニット（図４−２）（請求項５）ケージ（図７）はペットが逃げ出さず、来場者が管理者の許可なくペットに触ることが出来ないよう密閉空間になっていて、全高（図１−１）は管理者（図１−７）と来場者（図１−８、９）間でペットの受け渡しがスムーズに行える高さになっており、ケージ前面（図６−１及び図７ー１）はガラス及びアクリルで構成された透明な板で密閉もしくは鍵により開閉出来る仕組み。ケージ側面（図１−６）はペット間を区切る任意の幅で隣接するペットの直接接触、もしくは空気流入為密閉する板で間仕切られ、最両側面（図１−１０，１１）は密閉。ケージ背面（図６−２．３及び図７ー２．３）はペット取り出し、ケージ内清掃用出来る大きさの開閉が出来、またケージ上部（図６−４及び図７ー４）はペットがよく見え、ペットに圧迫間を与えない為、透明なガラス及びアクリルで構成された板、密閉もしくは鍵による開閉が出来る。ケージ下部（図６−５及び図７−５）は床暖房（請求項ー）ケージ内部もしくは床下より加湿空気清浄（図６−７及び図７−７）装置（請求項ー）が取り付けられる。下台部（図１−１２）は、ペット休憩所、衛生管理備品収納、ペット固体情報書類収納、上下水道を必要に応じ配置できる。接客カウンターユニット（図１−１３及び図４−３）（請求項６）来場者にペットを見せ、説明できる立ち、もしくは座席付対面接客カウンター。ペット管理者通用扉ユニット（図１−１４及び図４−４）（請求項７）ブース内外に通じるドア。ペット管理販売者  接客作業スペース（図１−１５及び図４−５）（請求項８）上記ユニットを核とした囲まれたペット管理作業接客スペースで、ブース内でペット管理、接客が行えるスペース上記ユニット（請求項４，５，８は必須）を必要に応じて組み合わせた（請求項１）のペット管理及び展示、接客一体型販売ブース構造を提供するものである
【発明の効果】
【０００７】  本発明によれば、ショーウインドウ型展示ケージユニットは、特に上方開放型は開放感ある空間でペットのストレス軽減と自然に管理者と触れ合える事で対人間との社会性を養うことが容易であり、また、ショーウインドー側からの見学者によりウインドーをたたかれたりしても、すぐ逆に親密度の高い管理者がいることで来客者に対するペットの恐怖感をやわらげ、又管理者がフォローすることが容易に出来る。またカウンター式ケージユニットで、上からも見える立体的な展示はペットに対する情報量が増え、管理者はペット管理、来客者はより良く観察することが出来る。それと共に客と対面でコミニュケーションを円滑にとることが出来、ペットの受け渡しもスムーズに行え、ブースを出る事無く、他の来客者の邪魔にもならず接客する事が出来る。また、ケージ内のペットも上方が透明なので圧迫感は感じにくいと思われる。ケージが透明素材を基本としてるためケージ内に照明を設置しなくてもすむので、メンテナンス、安全性、環境すべてにおいて向上する。各ケージユニットは、床暖房による温度調整、電解水の自動噴霧による脱臭、除菌、ウイルス抑制、アレル物質抑制  加湿することでケージ内の環境及び衛生状況をあげ、ペットの健康状態の保全がしやすくなります。これらを内蔵とすることで、従来は温度管理の為、ペットヒーター等をケージ内においていたが、床面に不要な物が無いので、衛生管理作業性が向上。ブース外側からは管理者以外は容易にペット接触出来ない構造なので、ペット管理販売者の意図しない接触は低減され、来客者からのいたずら等からペット保護しやすい。又、匂いに関してもブース内での衛生管理を行うため、ブース外にはただよいにくいシステムである。ブース中央のペット管理接客スペースで、管理者は作業をしつつも臨機応変に接客出来る為、人員の省力化をすることができる。
【発明を実施するための最良の形態】
【０００８】  本発明の実施の形態を、図面を用いて説明する。本発明の実地形態の一例で、請求項４，５、６、７、８のユニットを各１ユニットで構成されたブース構造の斜視図が図１、平面図が図４である。各ユニットの長さは特に定めはなくスペースや隣接する壁面に応じて無くてもよいが、核ユニットの［請求項５］カウンター式ペット管理ケージユニット（図４−２）は必須でペット管理販売者接客作業スペース（図４−５）はユニット及び壁面等で囲まれた、来場者が無断で立ち入っていけないと判断出来るスペースである【０００９】  ショーウインドー型ペット管理ケージユニット（図４−１）来場者が見学でき、かつ管理者がペット管理出来る並列展示式ケージで、前面部分（図１−１）容易に人間がペットに触れられない高さ（１５００ｍｍ以上がのぞましい）、透明なガラス及びアクリルで構成された板もしくは、鍵による開閉が出来、側面部分（図１−２）はペットが容易に超えられない高さの衝立（５００ｍｍ以上が望ましい、背面部分（図１−３）はペットが容易に超えられない高さの衝立、及び開閉ドアで構成され、上部は管理者が容易に管理出来、管理者とのふれあいも自然な為社会性が身につきやすい上部開放が望ましい、多段の場合（図２−１）は上部密閉式もしくは取り外し式、開閉式になっており、ケージ下部（図６−５及び図７−５）は床暖房（請求項ー２３）ケージ内部もしくは床下より加湿空気清浄（図６−７及び図７−７）装置（請求項−１４）が取り付けられており、下部（図１−４）は、ペット休憩所、衛生管理備品収納部、ペット固体情報書類収納、シンク、汚物流し、食器洗浄器など上下水設備、空気清浄機、加湿器、ゴミ箱を必要に応じ配置できる。【００１０】  カウンター式密閉ケージユニット（図４−２）（請求項５）ケージ（図７）はペットが逃げ出さず、来場者が管理者の許可なくペットに触ることが出来ないよう密閉空間になっていて、全高（図１−１）は管理者（図１−７）と来場者（図１−８、９）間でペットの受け渡しがスムーズに行える高さ５００ｍｍ〜１０００ｍｍ、位が望ましいケージ前面（図６−１及び図７−１）はガラス及びアクリルで構成された透明な板で密閉もしくは鍵により開閉出来る仕組み。ケージ側面（図１−６）はペット間を区切る任意の幅で隣接するペットの直接接触、もしくは空気流入為密閉する板で間仕切られ、最両側面（図１−１０，１１）は密閉。ケージ背面（図６−２．３及び図７ー２．３）はペット取り出し、ケージ内清掃用出来る大きさの開閉が出来、またケージ上部（図６−４及び図７−４）はペットがよく見え、ペットに圧迫間を与えない為、透明なガラス及びアクリルで構成された板、密閉もしくは鍵による開閉が出来る。ケージ下部（図６−５及び図７−５）は床暖房（請求項ー）ケージ内部もしくは床下より加湿空気清浄（図６−７及び図７−７）装置（請求項ー）が取り付けられる。下台部（図１−１２）は、ペット休憩所、衛生管理備品収納、ペット固体情報書類収納、上下水道を必要に応じ配置できる。【００１１】接客カウンターユニット（図１−１３及び図４−３）（請求項６）来場者にペットを見せ、説明できる立ち、もしくは座席付対面接客カウンター【００１２】ペット管理者通用扉ユニット（図１−１４及び図４−４）（請求項７）ブース内外に通じるドア。【００１３】ペット管理販売者  接客作業スペース（図１−１５及び図４−５）（請求項８）上記ユニットを核とした囲まれたペット管理作業接客スペースで、ブース内でペット管理、接客が行えるスペースで管理販売者、ペットの数により、有用な面積は変わるが、おおむね１２００以上の幅は欲しい
【図面の簡単な説明】
【００１４】
【図１】ペット管理及び展示、接客一体型販売ブース構造ウィンドウ並列型展示パース図
【図２】ペット管理及び展示、接客一体型販売ブース構造ウインドウ多層型展示パース図
【図３】ペット管理及び展示、接客一体型販売ブース構造ウインドウ多層型展示パース２図
【図４】ペット管理及び展示、接客一体型販売ブース構造ウィンドウ並列型展示平面図
【図５】ペット管理及び展示、接客一体型販売ブース構造ウインドウ並列型展示側面図
【図６】ケージユニット平面図
【図７】ケージユニットパース図
【図８】ケージユニット側面図
【図９】ケージユニット図
【符号の説明】
【００１５】１−１  ショーウインドー１−２  ショーウインドー型ペット管理ケージ側面パネル１−３  ショーウインドー型ペット管理ケージ背面パネル１−４  ショーウインドー型ペット管理ケージユニット下部１−７  生体管理販売者１−８  来場者１−９  来場者１−１０  カウンター式ペット管理ケージ右側側面１−１１  カウンター式ペット管理ケージ左側側面１−１２  カウンター式ペット管理ケージユニット下部２−１  ショーウインドー方多段ケージ上部４−１  ショーウインドー型ペット管理ケージユニット４−２  カウンター式ペット管理ケージユニット４−３  接客カウンターユニット４−４  生体管理販売者通用扉ユニット４−５  生体管理販売者接客作業スペース６−１  ペット管理ケージ前面６−２  ペット管理ケージ背面ドア６−３  ペット管理ケージ背面ドア６−４  ペット管理ケージ上部６−５  ペット管理ケージ下部６−６  床暖房６−７  加湿空気清浄機
【図１】
2010130994.tif 000003
【図２】
2010130994.tif 000004
【図３】
2010130994.tif 000005
【図４】
2010130994.tif 000006
【図５】
2010130994.tif 000007
【図６】
2010130994.tif 000008
【図７】
2010130994.tif 000009
【図８】
2010130994.tif 000010
【図９】
2010130994.tif 000011